(57)【要約】【課題】タンクエリア内に溜まる雨水の量を抑制する。【解決手段】複数のタンク３Ａ，３Ｂ，３Ｃの間の隙間１０を覆うカバー装置４が提供される。カバー装置は、複数のタンクの屋根７を掛け渡して設置される剛体フレーム２０と、剛体フレームに貼設されて隙間を覆うカバー材２１とを備える。【選択図】図２
2020147329.tif 000002
【特許請求の範囲】
【請求項１】
複数のタンクの間の隙間を覆うカバー装置であって、
前記複数のタンクの屋根を掛け渡して設置される剛体フレームと、
前記剛体フレームに貼設されて前記隙間を覆うカバー材と、
を備えたことを特徴とするカバー装置。
【請求項２】
前記カバー材が、柔軟なシート部材により形成される
請求項１に記載のカバー装置。
【請求項３】
前記タンクの屋根の外周端縁部に手摺りアセンブリが設けられ、前記剛体フレームは前記手摺りアセンブリに取り付けられる
請求項１または２に記載のカバー装置。
【請求項４】
前記カバー材は、前記手摺りアセンブリの上方および内側を覆うと共に、その裾部が前記タンクの屋根上に位置される
請求項３に記載のカバー装置。
【請求項５】
互いに隣り合う三つのタンクの間の隙間を覆うように構成された
請求項１〜４のいずれか一項に記載のカバー装置。
【発明の詳細な説明】
【技術分野】
【０００１】
本開示はカバー装置に係り、特に、タンクエリア内に溜まる雨水の量を抑制するためのカバー装置に関する。
【背景技術】
【０００２】
例えば、事故が発生した原子力発電所では、放射性物質を含んだ汚染水が発生する。このため、汚染水をタンクに貯留し、汚染水から放射性物質を除去する処理が順次行われている。
【０００３】
汚染水が貯留されたタンクは複数に及び、これらタンクはタンクエリアに比較的少ない隙間を隔てて立設される。タンクエリアは、区画壁により区画され外部と仕切られた汚染水タンク専用のエリアである。
【０００４】
万が一タンクから汚染水が漏れたとしても、これはタンクエリア内に止められ、エリア外への流出が阻止される。これによって一定の安全性が確保される。一方、タンクエリア内に貯留した水は、タンクから漏れた汚染水と同等とみなされ、厳格に扱われる。すなわち放射線除去処理の対象となる。
【０００５】
タンクエリアは屋外に設置されるので、降雨時には自ずとタンクエリア内に雨水が溜まる。この溜まった雨水も、タンクから漏れた汚染水と同等に取り扱われるため、結果として放射線除去処理量の増加を招く。
【先行技術文献】
【特許文献】
【０００６】
【非特許文献１】東京電力ホールディングス、“汚染水対策の主な取り組み”、[online]、[平成２９年１１月３０日検索]、インターネット＜URL:http://www.tepco.co.jp/decommision/planaction/waterprocessing/index-j.html＞
【発明の概要】
【発明が解決しようとする課題】
【０００７】
そこで本開示は、かかる事情に鑑みて創案され、その一の目的は、タンクエリア内に溜まる雨水の量を抑制することが可能なカバー装置を提供することにある。
【課題を解決するための手段】
【０００８】
本開示の一の態様によれば、
複数のタンクの間の隙間を覆うカバー装置であって、
前記複数のタンクの屋根を掛け渡して設置される剛体フレームと、
前記剛体フレームに貼設されて前記隙間を覆うカバー材と、
を備えたことを特徴とするカバー装置が提供される。
【０００９】
好ましくは、前記カバー材が、柔軟なシート部材により形成される。
【００１０】
好ましくは、前記タンクの屋根の外周端縁部に手摺りアセンブリが設けられ、前記剛体フレームは前記手摺りアセンブリに取り付けられる。
【００１１】
好ましくは、前記カバー材は、前記手摺りアセンブリの上方および内側を覆うと共に、その裾部が前記タンクの屋根上に位置される。
【００１２】
好ましくは、前記カバー装置が、互いに隣り合う三つのタンクの間の隙間を覆うように構成されている。
【発明の効果】
【００１３】
本開示によれば、タンクエリア内に溜まる雨水の量を抑制することが可能となる。
【図面の簡単な説明】
【００１４】
【図１】タンクエリアの一部を示す概略平面図である。
【図２】カバー装置の概略斜視図である。
【図３】変形例のカバー装置の概略平面図である。
【発明を実施するための形態】
【００１５】
以下、添付図面を参照して本開示の実施形態を説明する。なお本開示は以下の実施形態に限定されない点に留意されたい。
【００１６】
図１は、本実施形態に係るカバー装置が適用されたタンクエリアの一部を示す概略平面図である。タンクエリア１は、事故が起きた原子力発電所の屋外に設置されると共に、区画壁としての堰、特に内堰２によって区画され、外部と仕切られている。このタンクエリア１内には複数の円筒形タンク３が比較的少ない隙間を隔てて等間隔の千鳥状に立設されている。各タンク３には、放射性物質を含んだ汚染水が貯留されている。万が一タンク３から汚染水が漏れたとしても、これは内堰２によってタンクエリア１内に止められ、エリア外への流出が阻止される。これによって一定の安全性が確保される。
【００１７】
本実施形態のカバー装置４は、タンクエリア１内のタンク３の間の隙間を覆うものである。これによって降雨時に、当該隙間に雨水が浸入するのを抑制し、ひいてはタンクエリア１内に溜まる雨水の量を抑制することが可能となる。
【００１８】
タンク３が円筒形状を有するため、これらの隙間は大きさが変化する比較的複雑な形状である。しかしながら本実施形態のカバー装置４は、これら複雑形状に対応した形状を有し、隙間を効果的にかつ漏れなく覆い、上方から降り注いだ雨水が隙間の地面に到達するのを確実に抑制する。
【００１９】
本実施形態では、内堰２の外側に外堰５が設置され、内堰２と外堰５の間に排水溝６が形成される。タンクエリア１の地面に達する前に、カバー装置４によって遮られた雨水は、タンク３の屋根に流れ落とされ、タンク３の屋根に形成された排水口に導入される。排水口は、図示しない排水経路を通じて排水溝６に連通されている。従って雨水は最終的に排水溝６に排出される。
【００２０】
内堰２の内側（タンクエリア１内）の地面に溜まった水は、放射性物質の除去処理（汚染水処理という）の対象となるが、内堰２の外側（タンクエリア１外）に溜まった水はその対象とならない。カバー装置４によって排水溝６に排出された水は、内堰２の内側の地面に溜まる前にその外側に排出されているので、汚染水処理の対象とならない。そのため本実施形態は、カバー装置４を設けない場合に比べて汚染水処理量を大幅に低減することができる。
【００２１】
本実施形態のカバー装置４は、互いに隣り合う三つのタンク３の間の隙間を覆うように構成されている。こうした隙間は同形状で複数あり、カバー装置４は各隙間を覆うべく、互いに隣接して複数設けられ、同様に構成される。以下、タンク３Ａ，３Ｂ，３Ｃの間の隙間１０を覆うカバー装置４を代表例に採って説明する。
【００２２】
図示するような平面視において、タンク３Ａ，３Ｂ，３Ｃの中心ＣＡ，ＣＢ，ＣＣは正三角形の頂点をなし、各中心を結ぶ線分ＬＡ，ＬＢ，ＬＣ同士のなす角αは等しく６０°である。この正三角形の領域内のタンク３Ａ，３Ｂ，３Ｃ間の隙間１０が、一つのカバー装置４によって覆われる。隙間１０およびカバー装置４は略Ｙ字状である。各線分ＬＡ，ＬＢ，ＬＣ上において、隣り合う二つのタンク３の間の間隔が最小（約２ｍ）となる。これら最小間隔部分の内側の領域を覆うように、カバー装置４が設置される。隙間１０内において放射状に延びる線は隙間１０の中心すなわち隙間中心Ｈを表す。隙間中心Ｈは、隙間１０を対象タンク数に等しい三つに等分割するような３本の線によって表される。３本の線は、隙間１０の幾何中心もしくは重心である中心点Ｇから、隙間１０の最も離れた端部である最小間隔部分の中間位置まで、１２０°の等間隔で放射状に延びる。
【００２３】
図２には、タンク３Ａ，３Ｂ，３Ｃおよびカバー装置４の斜視図を示す。タンク３Ａ，３Ｂ，３Ｃは円筒形タンクであり、ドーム状の屋根７を有する。屋根７上には作業員が乗ることができる。屋根７の外周端縁部には、作業員が滑落するのを防止するため、手摺りアセンブリ８が設けられている。手摺りアセンブリ８は、屋根７の外周端縁部に沿って延びる手摺り９と、手摺り９を一定の高さに支持する複数の支柱４０と、各支柱４０に連結された梁すなわち上梁１１および下梁１２と、各支柱４０の下端部に連結され屋根７上の雨水を堰き止める雨水堰１８とを一体的に有する。手摺り９は断面円形の鋼管により形成され、支柱４０はアングル材により形成され、上梁１１、下梁１２および雨水堰１８は鋼板により形成されるが、これらに限定されない。
【００２４】
また、雨水堰１８には排水口１３が設けられる。屋根７上の水は、屋根７の傾斜に沿ってその外周端縁部に流れ落ち、排水口１３に集約されて排水口１３から排出される。排水口１３は前述したように図示しない排水経路を通じて排水溝６に連通される。排水経路は、例えば排水口１３の裏側（タンク外周面側）に隣接されタンク周方向に延びる樋を含んでもよい。
【００２５】
一つのタンク３Ｃを代表例に採って説明するが、タンク３Ｃは、ドーム状の屋根７を形成する屋根板１４と、屋根板１４の外周端縁部に溶接される周縁部材すなわちトップアングル１５と、トップアングル１５に溶接されてタンク３Ｃの円筒状外周面部を形成する側板１６とを一体的に有する。手摺りアセンブリ８の支柱４０および雨水堰１８は、トップアングル１５上に起立状態で溶接されている。なお図示する断面は図１の線分ＬＢ上の断面である。
【００２６】
カバー装置４は、三つのタンク３Ａ，３Ｂ，３Ｃの屋根７を掛け渡して設置される剛体フレーム２０と、剛体フレーム２０に貼設されて隙間１０を覆うカバー材２１とを備える。
【００２７】
本実施形態のカバー材２１は、柔軟なシート部材２２により形成される。シート部材２２は、柔軟で且つ防水性のシート材料により形成され、例えばポリエステル、ポリ塩化ビニルまたはその混合物といった樹脂材料により形成される。但し材質はこれらに限定されない。シート部材２２は、隙間１０を上方から覆うように形成され、隙間１０に対応した所定形状を有する。シート部材２２の色は、シート部材２２の下方の隙間１０内ができるだけ明るくなるよう、所定値以上の透光率をもたらすものが選択され、例えばクリーム色またはアイボリー色とされる。
【００２８】
剛体フレーム２０は、図示の如き三角屋根を有するハウス状のカバー装置４を形成するよう、複数の細長いフレーム材を組み立てて形成された実質的に剛体かつ骨組状のフレームである。フレーム材は例えば鋼材（形鋼もしくは鋼管）であり、具体的には断面円形のステンレス鋼管である。しかしながらフレーム材はこれに限定されず、円形以外の角形等の断面形状のものであってもよいし、鋼以外の金属材料または樹脂材料等の非金属材料により形成されたものであってもよい。なおタンクエリア１内では重機の使用が困難であり、溶接作業も禁止されているため、カバー装置４はボルト等により手作業で組み立てられる。そしてこの組立を容易にするため、カバー装置４はシンプルで軽量な構造とされている。
【００２９】
剛体フレーム２０は、互いに隣り合う二つのタンク３Ｂ，３Ｃの手摺りアセンブリ８の間に跨がる複数（本実施形態では五つ）の門型フレーム２３を有する。門型フレーム２３は、タンク３Ｂ，３Ｃの手摺りアセンブリ８に取り付けられた一対の脚部２４と、一対の脚部２４の上端同士を連結する水平な梁部２５と、一対の脚部２４の上端から互いの接近方向、具体的には前述の隙間中心Ｈに向かって斜め上に延びる一対の傾斜部２６と、一対の傾斜部２６の上端同士を連結する山形の頂部２７とを有する。
【００３０】
脚部２４は、手摺りアセンブリ８の手摺り９上に、図示しない固定金具（クランプ等）により固定され、手摺り９の真上の位置で鉛直方向に延びている。なお脚部２４の取付方法は任意であり、例えば支柱４０に沿わせて固定してもよく、トップアングル１５に着座させて固定してもよい。脚部２４は、高さ調節可能に構成されている。具体的には、脚部２４が分割されると共に入れ子状に嵌合され、所定長さに調節された後、固定パイプ２８および貫通ボルト２９により両分割部が固定される。
【００３１】
水平に対する頂部２７の傾斜角は傾斜部２６より小さくされ、僅かとされる。一対の傾斜部２６と頂部２７により、二段傾斜の三角屋根が形成され、詳しくは後述するが、カバー装置４によって遮られた雨水をタンク屋根７上に円滑に落とすことができる。なお頂部２７は水平とされてもよく、傾斜部２６と同じ傾斜角の山形とされてもよい。
【００３２】
こうした門型フレーム２３が、カバー装置４の中心側から端部側に向かって間隔を隔てて複数設けられる。ここでカバー装置４の中心側とは、図１に示すような平面視において中心点Ｇに向かう方向をいい、カバー装置４の端部側とは、図１に示すような平面視において中心点Ｇから離れて各線分ＬＡ，ＬＢ，ＬＣに向かう方向をいう。
【００３３】
門型フレーム２３は、異なる二つのタンクの組み合わせ、すなわちタンク３Ａ，３Ｂ間およびタンク３Ｃ，３Ａ間にも同数（本実施形態では五つ）ずつ設けられる。各タンク組の最も端部に位置する門型フレーム２３の頂部２７に、クレーン等で吊り上げる際に使用する吊りピース３０が上方に突出して設けられる。
【００３４】
これら門型フレーム２３は複数の連結フレーム、すなわち頂部連結フレーム３１、傾斜部連結フレーム３２および脚部連結フレーム３３により互いに連結される。頂部連結フレーム３１は、頂部２７の最も高い位置すなわち中間位置同士を連結するもので、各タンク組に対応する三箇所の端部側から中心側に延び、中心点Ｇの位置で互いに連結される。逆に言えば頂部連結フレーム３１は、中心点Ｇの位置から隙間中心Ｈに沿って端部までＹ字状かつ放射状に延びる。頂部連結フレーム３１は、中心側から端部側に向かう程低くなるように傾斜される。これによりカバー装置４の屋根４Ａに、中心側から端部側に向かう程低くなる勾配が形成される。
【００３５】
傾斜部連結フレーム３２は、各タンク３Ａ，３Ｂ，３Ｃの周方向に沿って円弧状に延び、傾斜部２６の上端同士を連結する。これにより、傾斜部２６および頂部２７の接続箇所に傾斜部連結フレーム３２も接続され、剛体フレーム２０の高剛性化に有利である。
【００３６】
同様に、脚部連結フレーム３３も、各タンク３Ａ，３Ｂ，３Ｃの周方向に沿って円弧状に延び、脚部２４の上端同士を連結する。これにより、脚部２４、梁部２５および傾斜部２６の接続箇所に脚部連結フレーム３３も接続され、剛体フレーム２０の高剛性化に有利である。
【００３７】
このように構成された剛体フレーム２０は、三つのタンク３Ａ，３Ｂ，３Ｃの手摺りアセンブリ８に跨がり、手摺りアセンブリ８よりも高く立設される。これによりタンク３Ａ，３Ｂ，３Ｃの屋根７上の作業員が、手摺りアセンブリ８の上方の広い空間を利用して、剛体フレーム２０を組み立てることができ、剛体フレーム２０の組立作業を容易にすることができる。
【００３８】
剛体フレーム２０には上からシート部材２２が被せられる。シート部材２２は剛体フレーム２０により裏側から支持され、剛体フレーム２０の形状に合わせて適宜屈曲される。シート部材２２は、脚部連結フレーム３３よりも上側もしくは中心点Ｇ側の部分において、隙間１０を実質的に覆うと共に、カバー装置４の屋根４Ａを形成する。
【００３９】
シート部材２２は、頂部連結フレーム３１の位置で、屋根４Ａの稜線部をなすように屈曲されると共に、頂部２７の山形形状に合わせて傾斜される。そしてシート部材２２は、傾斜部連結フレーム３２の位置でさらに屈曲され、傾斜部２６の傾斜に合わせて傾斜される。こうして２段傾斜の三角屋根４Ａが形成される。
【００４０】
シート部材２２は、脚部連結フレーム３３の位置でもさらに屈曲されて垂れ下げられる。脚部連結フレーム３３の下側には、下方に垂れ下げられたシート部材２２の裾部３４が位置される。裾部３４は、手摺りアセンブリ８に被せられる。具体的には裾部３４は、手摺りアセンブリ８の内側（タンク屋根７側）に被せられ、手摺りアセンブリ８を内側から覆う。こうして裾部３４は、タンク３Ａ，３Ｂ，３Ｃの屋根７上に位置される。
【００４１】
シート部材２２は、その複数箇所において剛体フレーム２０および手摺りアセンブリ８に固定される。本実施形態の場合、シート部材２２の裏面部の複数箇所に予め縫い付けられた線条材（例えば布製ベルト、紐、ワイヤー等）を、剛体フレーム２０および手摺りアセンブリ８の対応箇所に縛り付けることにより、シート部材２２が固定される。図２には、手摺りアセンブリ８の手摺り９、上梁１１および下梁１２にそれぞれ縛り付けられた線条材３５のみを示す。しかしながら剛体フレーム２０の各部（門型フレーム２３、頂部連結フレーム３１、傾斜部連結フレーム３２および脚部連結フレーム３３）にも、複数の線条材を同様に縛り付けてシート部材２２を固定できることが明らかであろう。
【００４２】
シート部材２２の固定方法はこれに限らず、任意の方法を採用できる。例えばネジ止め、リベット止め等を行ってもよい。
【００４３】
次に本実施形態の作用効果を説明する。
【００４４】
図１および図２を参照して、カバー装置４、具体的にはシート部材２２は、タンク３Ａ，３Ｂ，３Ｃの間の隙間１０を覆う。このため降雨時に隙間１０に降ってくる雨水を遮り、隙間１０に位置するタンクエリア１内に雨水が浸入するのを抑制すると共に、隙間１０の地面に雨水が溜まるのを抑制する。これにより汚染水処理量を低減できる。
【００４５】
シート部材２２上に降った雨水は、傾斜されたシート部材２２に沿って、裾部３４すなわちタンク３Ａ，３Ｂ，３Ｃ側に向かって流れ落ち、裾部３４からタンク３Ａ，３Ｂ，３Ｃの屋根７上へと滴下される。この屋根７上の雨水は排水口１３から排出され、図示しない排水経路を通じて最終的に排水溝６へと落下排出される。これにより、シート部材２２によって遮られた雨水を効率よく排出することができる。
【００４６】
なお、降雪時も降雨時と同様にシート部材２２上に降った雪を排水溝６に効率よく排出できる。
【００４７】
ところで、カバー装置４は屋外に設置されるため、風害への対策が必要である。特に原子力発電所は、海に近く風が強い場所にあるため、カバー装置４への風害対策は重要である。
【００４８】
本実施形態のカバー装置４は、タンク３Ａ，３Ｂ，３Ｃの屋根７を掛け渡して比較的頑丈な剛体フレーム２０を設置し、この剛体フレーム２０にカバー材２１を貼設して構成した。このため、カバー装置４が風（特に強風）を受けたときであっても、剛体フレーム２０がその風に耐え、カバー装置４の破損を抑制もしくは防止することができる。このため、風害に強く耐久性に優れたカバー装置４とすることができる。
【００４９】
また本実施形態では、カバー材２１を柔軟なシート部材２２により形成した。このため、カバー装置４が風（特に強風）を受けたとき、シート部材２２を風に逆らわず、なびかせたり波打ったりさせることができる。従ってカバー材２１等の損傷を回避でき、風害に一層強いカバー装置４とすることができる。
【００５０】
なお、シート部材２２を固定する線条材の長さは、シート部材２２が動くのを許容するため、ある程度余裕を持たせてもよい。
【００５１】
剛体フレーム２０を手摺りアセンブリ８に取り付けたので、既存のタンク設備を利用して剛体フレーム２０を効率的に取り付けることが可能である。また、手摺りアセンブリ８への取り付けが実質的に脚部２４の固定のみなので、取り付けが非常に容易である。
【００５２】
シート部材２２が手摺りアセンブリ８の上方および内側を覆うと共に、その裾部３４がタンク３Ａ，３Ｂ，３Ｃの屋根７上に位置される。このため、シート部材２２上に降った雨水を隙間１０に漏らさず確実に裾部３４からタンク屋根７へと落下させることができる。
【００５３】
以上が一例としてのカバー装置４の特徴である。図１に示すように、隣り合う三つのタンク３により形成される全ての隙間１０が、複数のカバー装置４によってそれぞれ覆われる。各カバー装置４は互いに隣接され、カバー装置４間の隙間ができるだけ生じないようにされている。なお、二つのタンク３間にこれらを連絡する連絡橋がある場合がある。この場合、連絡橋部分を除くようカバー装置４が修正される。
【００５４】
図３は、カバー装置４の変形例を示す。この変形例において、タンク３は等間隔の格子状に立設されており、カバー装置４は４つのタンク３の間の隙間１０を覆う。隙間１０およびカバー装置４は略十字状である。なお図には説明に必要な１ユニットすなわち４つのタンク３と一つのカバー装置４しか示していないが、図１に示した基本実施例と同様、タンク３と隙間１０とカバー装置４はより多数設けられる。
【００５５】
図示するような平面視において、タンク３Ａ，３Ｂ，３Ｃ，３Ｄの中心ＣＡ，ＣＢ，ＣＣ，ＣＤは正方形の頂点をなし、各中心を結ぶ線分ＬＡ，ＬＢ，ＬＣ，ＬＤ同士のなす角αは等しく９０°である。この正方形の領域内のタンク３Ａ，３Ｂ，３Ｃ，３Ｄ間の隙間１０が、一つのカバー装置４によって覆われる。各線分ＬＡ，ＬＢ，ＬＣ，ＬＤ上において、隣り合う二つのタンク３の間の間隔が最小となる。これら最小間隔部分の内側の領域を覆うように、カバー装置４が設置される。
【００５６】
隙間中心Ｈは、隙間１０を対象タンク数に等しい四つに等分割するような４本の線によって表される。４本の線は、隙間１０の中心点Ｇから、隙間１０の最も離れた端部である最小間隔部分の中間位置まで、９０°の等間隔で放射状に延びる。この隙間中心Ｈに沿って、前述の頂部連結フレーム３１が設置され、カバー装置４の屋根４Ａの稜線部が形成される。他の構成は前記同様であるので説明を割愛する。この変形例によっても前記同様の作用効果を発揮し得る。
【００５７】
このように、一つのカバー装置４に対応する複数のタンク３の配置方法は様々な方法が考えられ、上述の正三角形や正方形以外の配置方法が可能である。例えば、正三角形以外の三角形、正方形以外の四角形、あるいは五角形以上の多角形（正多角形を含む）の頂点をなすように配置することが可能である。
【００５８】
以上、本開示の実施形態を詳細に述べたが、本開示は以下のような他の実施形態も可能である。
【００５９】
（１）例えば本開示のカバー装置は、汚染水タンク以外のタンクの場合にも適用可能である。
【００６０】
（２）本開示のカバー装置は、任意の複数個のタンクの間の隙間を覆うように構成することが可能である。
【００６１】
（３）カバー材２１は、柔軟なシート部材２２以外のものにより形成されてもよい。カバー材２１は、例えば実質的に剛体の剛体板、具体的には樹脂板、金属板、木板等により形成されてもよい。この場合、より軽量で採光可能なものであるのが好ましく、例えばポリカーボネートや塩化ビニル等の樹脂で作られた透明もしくは半透明の板、特に波板であるのが好ましい。
【００６２】
（４）剛体フレーム２０およびカバー装置４の全体形状は任意に変更可能である。前記実施形態では、隙間中心Ｈに対称となるような三角屋根４Ａを形成したが、非対称となる三角屋根を形成してもよい。また前記実施形態では、中心点Ｇに対称となるような屋根４Ａを形成したが、非対称となる屋根を形成してもよい。屋根形状は、三角屋根に限らず、片流れ屋根や陸屋根のような屋根形状としてもよい。
【００６３】
本開示の実施形態は前述の実施形態のみに限らず、特許請求の範囲によって規定される本開示の思想に包含されるあらゆる変形例や応用例、均等物が本開示に含まれる。従って本開示は、限定的に解釈されるべきではなく、本開示の思想の範囲内に帰属する他の任意の技術にも適用することが可能である。
【符号の説明】
【００６４】
３，３Ａ，３Ｂ，３Ｃ  タンク
４  カバー装置
７  屋根
８  手摺りアセンブリ
１０  隙間
２０  剛体フレーム
２１  カバー材
２２  シート部材
３４  裾部
【図１】
2020147329.tif 000003
【図２】
2020147329.tif 000004
【図３】
2020147329.tif 000005